(57)【特許請求の範囲】
【請求項１】
受容部材（１２）であって、前記受容部材（１２）の第１の終端部（２４）から前記受容部材の第２の終端部（２６）まで長手方向（２２）に延在している貫通穴である穴部（１４）を有する受容部材（１２）であって、第１の溝穴部（３０）が前記長手方向に延在しておりかつ前記受容部材の外面（１８）から前記受容部材の前記穴部（１４）まで前記受容部材（１２）の部分を貫通して画定されており、前記受容部材は前記外面（１８）上に段部（２８）を有する、受容部材（１２）と、
係合部材（５０）であって、係合部材（５０）と前記受容部材（１２）とは互いに対して移動しないように前記受容部材（１２）に取り付けられている係合部材（５０）であって、前記係合部材（５０）が傾斜部（５６）を有する内面（５２）を有する、係合部材（５０）と、
前記受容部材（１２）および前記係合部材（５０）に対して前記長手方向に移動するスライド部材（９０）であって、前記スライド部材（９０）は、前記スライド部材（９０）の第１の終端部（９４）から前記スライド部材（９０）の第２の終端部（９６）まで前記長手方向に延在している貫通穴である穴部（９２）を有し、開口部（１０２）は、前記スライド部材の外面（９８）から前記スライド部材の前記穴部まで前記スライド部材（９０）の部分を貫通して画定されており、前記スライド部材は、前記スライド部材の内面（１００）上に段部（１０８）を有する、スライド部材（９０）と、
前記第１の溝穴部（３０）および前記開口部（１０２）の両方に配置されている玉（１３０）であって、前記玉（１３０）は前記係合部材（５０）の前記傾斜部（５６）に係合する、玉（１３０）と、
前記受容部材（１２）の前記段部（２８）および前記スライド部材（９０）の前記段部（１０８）に係合するばね（１３６）と、
シャフト（１４２）が前記受容部材（１２）に取り付けられている場合、前記受容部材（１２）の前記穴部（１４）の内部に少なくとも部分的に配置されている前記シャフト（１４２）を有するリリーサブル部材（１４０）であって、前記シャフト（１４２）が前記受容部材（１２）に取り付けられている場合前記玉（１３０）が前記シャフト（１４２）に係合する、リリーサブル部材（１４０）と、
を含み、
前記係合部材は、前記受容部材（１２）の前記第２の終端部（２６）に設置される複数の回転整合開口部（７２）を有し、
前記リリーサブル部材（１４０）は、複数の回転整合部材（１５２）を画定しているフランジ（１４８）を有し、前記複数の回転整合部材（１５２）は各々、前記シャフト（１４２）が前記受容部材（１２）に取り付けられている場合、前記複数の回転整合開口部（７２）の１つを係合し、前記リリーサブル部材（１４０）は、マイクロホンスタンド（８０）の第１の構成要素に係合する外側ねじ切り部（１５０）を有することを特徴とするクイックリリースコネクタ（１０）。
【請求項２】
前記長手方向（２２）に前記受容部材（１２）の前記第２の終端部（２６）から前記受容部材（１２）の前記第１の終端部（２４）と前記第２の終端部（２６）との間の位置までの、前記受容部材（１２）の前記穴部（１４）は、六角形横断面形状を有し、前記リリーサブル部材（１４０）の前記シャフト（１４２）は、６つの平面（１４４）が前記シャフト（１４２）の外面（１４６）を作り上げるように、六角形横断面形状を有し、前記シャフト（１４２）の前記６つの平面（１４４）は全て平坦でありかつそこに陥凹部がないことを特徴とする請求項１に記載のクイックリリースコネクタ（１０）。
【請求項３】
前記受容部材は、各々が前記長手方向に延在しており、かつ前記受容部材の前記外面から前記受容部材の前記穴部まで前記受容部材の前記部分を貫通して画定されている第２の溝穴部（３２）と第３の溝穴部（３４）とを有し、前記第１の溝穴部（３０）、前記第２の溝穴部（３２）、および前記第３の溝穴部（３４）は、前記長手方向軸廻りの回転方向において異なる角度で配置されており、前記受容部材は、マイクロホンスタンドの第２の構成要素に係合する内側ねじ切り部（３６）を有し、
前記スライド部材（９０）は、各々が前記スライド部材の前記外面から前記スライド部材の前記穴部まで前記スライド部材（９０）の前記部分を貫通して画定されている第２の開口部（１０４）と第３の開口部（１０６）とを有し、前記第１の開口部（１０２）、前記第２の開口部（１０４）、および前記第３の開口部（１０６）は前記長手方向軸廻りの回転方向において異なる角度で配置されていることを特徴とする請求項１に記載のクイックリリースコネクタであって、
前記第２の溝穴部（３２）および前記第２の開口部（１０４）の両方に配置される第２の玉（１３２）であって、前記第２の玉（１３２）は前記係合部材（５０）の前記傾斜部（５６）に係合する、第２の玉（１３２）と、
前記第３の溝穴部（３４）および前記第３の開口部（１０６）の両方に配置される第３の玉（１３４）であって、前記第３の玉（１３４）は前記係合部材（５０）の前記傾斜部（５６）に係合する、第３の玉（１３４）と
をさらに含み、
前記シャフト（１４２）が前記受容部材（１２）に取り付けられている場合、前記第２の玉（１３２）および前記第３の玉（１３４）は前記シャフトに係合していることを特徴とする請求項１に記載のクイックリリースコネクタ。
【請求項４】
前記スライド部材の前記部分は先細にされた部分であり、前記係合部材の前記内面の前記傾斜部に直面しており、前記スライド部材は前記スライド部材の外面上に把持要素（１１２）を有することを特徴とする請求項１に記載のクイックリリースコネクタ。
【請求項５】
長手方向軸（２０）を有する受容部材（１２）であって、長手方向に延在している穴部（１４）を有し、前記受容部材は、前記長手方向に延在しておりかつ前記受容部材の外面から前記受容部材（１２）の前記穴部（１４）まで前記受容部材（１２）を貫通して画定されている第１の溝穴部（３０）を有する、受容部材（１２）と、
取り付けられた位置と取り外された位置との間で前記長手方向に前記受容部材（１２）に対して移動するスライド部材（９０）と、
玉（１３０）であって、前記スライド部材（９０）が前記取り付けられた位置にある場合、前記玉の少なくとも一部分が前記受容部材の前記穴部（１４）内にかつ前記受容部材（１２）の前記第１の溝穴部（３０）内に配置されており、前記スライド部材（９０）が前記取り外された位置にある場合、前記玉（１３０）のいずれの部分も前記受容部材（１２）の前記穴部（１４）内に配置されていない、玉（１３０）と、
前記スライド部材（９０）が前記取り付けられた位置にある場合、前記受容部材（１２）の前記穴部（１４）内に少なくとも部分的に配置されておりかつ前記玉（１３０）により係合されているリリーサブル部材（１４０）であって、前記スライド部材（９０）が前記取り外された位置にある場合、前記リリーサブル部材（１４０）は前記受容部材（１２）の前記穴部（１４）から除去可能である、リリーサブル部材（１４０）と、
を含み、
前記リリーサブル部材は２つの受容開口部を画定しているフランジを有し、前記リリーサブル部材が前記受容部材の前記穴部内に少なくとも部分的に配置されている場合、前記２つの受容開口部は各々、２つの回転整合部材の１つを係合し、前記スライド部材が前記取り付けられた位置にある場合、前記リリーサブル部材は前記玉と係合されていることを特徴とするクイックリリースコネクタ。
【請求項６】
前記スライド部材（９０）は前記長手方向に延在している穴部（９２）を有し、前記スライド部材（９０）は、前記スライド部材の外面（９８）から前記スライド部材（９０）の前記穴部（９２）まで前記スライド部材の部分を貫通して画定されている開口部（１０２）を有し、前記スライド部材が前記取り付けられた位置にある場合、前記玉（１３０）の部分が前記開口部（１０２）内に配置されており、
前記受容部材（１２）に対して移動しない係合部材（５０）をさらに含み、前記係合部材（５０）は、傾斜部（５６）を有する内面（５２）を有し、前記スライド部材が前記取り付けられた位置にある場合、前記玉（１３０）は前記係合部材（５０）の前記内面（５２）の前記傾斜部（５６）に係合しており、前記スライド部材が前記取り外された位置にある場合、前記玉（１３０）は前記係合部材（５０）の前記内面（５２）の前記傾斜部（５６）に係合していないことを特徴とする請求項５に記載のクイックリリースコネクタ。
【請求項７】
前記スライド部材は、前記長手方向の一方の端部の近傍に先細にされた部分（１１０）である部分を有し、前記係合部材（５０）の前記内面（５２）の前記傾斜部（５６）に直面しており、前記スライド部材は、前記スライド部材の外面上に把持要素（１１２）を有し、前記スライド部材は前記スライド部材の内面上に段部（１０８）を有し、
前記受容部材は前記スライド部材の前記外面上に段部（２８）を有し、
前記受容部材の前記段部（２８）に係合しておりかつ前記スライド部材の前記段部（１０８）に係合しているばね（１３６）をさらに含み、前記ばねの付勢力が前記スライド部材を前記取り付けられた位置に促すように、前記ばねは付勢されることを特徴とする請求項６に記載のクイックリリースコネクタ。
【請求項８】
前記受容部材は円錐の形状である揺動突出部（１７４）を有し、前記シャフト（１４２）は揺動突出部開口部（１５８）を画定し、前記シャフトが前記受容部材に取り付けられている場合、前記揺動突出部（１７４）は揺動突出部開口部（１５８）内に配置されていることを特徴とする請求項５に記載のクイックリリースコネクタ。
【請求項９】
前記リリーサブル部材は、マイクロホンスタンドの第１の構成要素に係合する外側ねじ切り部（１５０）を有し、前記受容部材は、マイクロホンスタンドの第２の構成要素に係合する内側ねじ切り部（３６）を有することを特徴とする請求項５に記載のクイックリリースコネクタ。
【請求項１０】
前記受容部材は、各々が前記長手方向に延在しておりかつ前記受容部材の前記外面（１８）から前記受容部材の前記穴部まで前記受容部材（１２）を貫通して画定されている第２の溝穴部（３２）と第３の溝穴部（３４）とを有し、前記第１の溝穴部、前記第２の溝穴部、および前記第３の溝穴部は、前記長手方向軸廻りの回転方向において異なる角度で配置されており、
前記スライド部材は前記長手方向に延在している穴部（９２）を有し、前記スライド部材（９０）は、前記スライド部材の外面（９８）から前記スライド部材の前記穴部（９２）まで前記スライド部材の部分を貫通して画定されている第１の開口部（１０２）と、第２の開口部（１０４）と、第３の開口部（１０６）とを有し、前記第１の開口部、前記第２の開口部、および前記第３の開口部は、前記長手方向軸廻りの回転方向において異なる角度で配置されており、
前記スライド部材が前記取り付けられた位置にある場合、前記玉（１３０）は前記第１の開口部（１０２）および前記第１の溝穴部（３０）内に配置されていることを特徴とする請求項７に記載のクイックリリースコネクタであって、
前記スライド部材（９０）が前記取り付けられた位置にある場合、前記第２の溝穴部（３２）および前記第２の開口部（１０４）の両方に配置されている第２の玉（１３２）と、
前記スライド部材が前記取り付けられた位置にある場合、前記第３の溝穴部３４および前記第３の開口部（１０６）の両方に配置されている第３の玉（１３４）と
をさらに含み、
前記リリーサブル部材（１４０）が前記受容部材（１２）の前記穴部（１４）内に少なくとも部分的に配置されておりかつ前記スライド部材（９０）が前記取り付けられた位置にある場合、前記第２の玉（１３２）および前記第３の玉（１３４）は、前記リリーサブル部材（１４０）に係合していることを特徴とする請求項５に記載のクイックリリースコネクタ。
【請求項１１】
穴部（５４）を有する係合部材（５０）であって、前記係合部材は、傾斜部（５６）を有する内面（５２）を有する、係合部材（５０）と、
取り付けられた位置と取り外された位置との間で前記係合部材（５０）に対して移動するスライド部材（９０）と、
前記スライド部材（９０）が前記取り付けられた位置にある場合、前記係合部材（５０）に対する位置が固定されているリリーサブル部材（１４０）であって、前記スライド部材が前記取り外された位置にある場合、前記リリーサブル部材は前記係合部材（５０）に対して移動可能であり、前記スライド部材（９０）が前記取り付けられた位置にある場合、前記リリーサブル部材（１４０）の一部が前記係合部材（５０）の前記穴部内にある、リリーサブル部材（１４０）と、
前記係合部材（５０）の前記内面（５２）の前記傾斜部（５６）に係合しかつ前記スライド部材が前記取り付けられた位置にある場合に前記リリーサブル部材（１４０）に係合する玉（１３０）と
を含み、
前記リリーサブル部材（１４０）は、２つの回転整合部材（１５２）、（１５４）を画
定しているフランジを有し、前記係合部材に対する前記リリーサブル部材の位置が固定されているように前記スライド部材（９０）が前記取り付けられた位置にある場合に前記リリーサブル部材（１４０）の前記一部が前記係合部材（５０）の前記穴部（５４）内にある場合、前記２つの回転整合部材は各々、２つの回転整合開口部（７２、７４）に係合しており、前記リリーサブル部材は、マイクロホンの第１の構成要素に係合する外側ねじ切り部（１５０）を有することを特徴とするクイックリリースコネクタ。
【請求項１２】
長手方向軸を有する受容部材（１２）をさらに含み、前記受容部材（１２）は長手方向に延在している穴部（１４）を有し、前記受容部材は前記長手方向（２２）に延在しておりかつ前記受容部材の外面（１８）から前記受容部材（１２）の前記穴部（１４）まで前記受容部材の部分を貫通して画定されている溝穴部（３０）を有し、
前記スライド部材（９０）は、前記長手方向（２２）に延在している穴部（９２）を有し、前記スライド部材（９０）は、前記スライド部材の外面（９８）から前記スライド部材の前記穴部（９２）まで前記スライド部材（９０）の部分を貫通して画定されている開口部（１０２）を有し、前記スライド部材（９０）は、前記長手方向の一方の端部の近傍に先細にされた部分（１１０）である部分を有しかつ前記係合部材（５０）の前記内面（５２）の前記傾斜部（５６）に直面しており、前記スライド部材（９０）は、前記スライド部材の外面（９８）上に把持要素（１１２）を有し、
前記玉（１３０）が前記係合部材（５０）の前記内面（５２）の前記傾斜部（５６）に係合している場合、前記玉（１３０）は、前記受容部材（１２）の前記溝穴部（３０）内に配置されておりかつ前記スライド部材（９０）の前記開口部（１０３）内に配置されており、前記スライド部材（９０）が前記取り付けられた位置にある場合、前記リリーサブル部材（１４０）に係合していることを特徴とする請求項１１に記載のクイックリリースコネクタ。
【発明の詳細な説明】
【技術分野】
【０００１】
本発明は、広く、第１の構成要素が第２の構成要素に取り付けられかつそれから取り外されることを可能にすることができるクイックリリースコネクタに関する。より詳細には、本願は、マイクロホンスタンド、ブームアーム、またはボール頭に組み込まれて、マイクロホンが迅速にかつ容易に除去され、取り付けられることを可能にするクイックリリースコネクタを含む。取り付けられると、マイクロホンの振動が最小化され、円滑な接続／切断機構が取付けステップおよび取外しステップ中の不必要なノイズおよびフィードバックを最小化する。
【背景技術】
【０００２】
演奏中、マイクロホンを調整するかまたは交換する必要があることが多い。これは故障しているマイクロホンの結果としてまたは音楽演奏時間間で起こる可能性があり、マイクロホンのタイプまたは位置を変更する必要がある。
【先行技術文献】
【特許文献】
【０００３】
【特許文献１】米国特許第６，５６１，５２３号明細書
【特許文献２】ＵＳｐｒｏｖｉｓｉｏｎａｌ  ａｐｐｌｉｃａｔｉｏｎ  ｎｕｍｂｅｒ  ６１／６２６，４０１
【特許文献３】ＵＳ  Ｄｅｓｉｇｎ  Ａｐｐｌｉｃａｔｉｏｎ  ｅｎｔｉｔｌｅｄ  Ｈｏｌｄｅｒ  ｆｏｒ  Ｍｕｓｉｃ  Ａｃｃｅｓｓｏｒｉｅｓ  ｆｉｌｅｄ  Ｓｅｐｔｅｍｂｅｒ  ２６，  ２０１２    ｈａｖｉｎｇ  Ｄｏｃｋｅｔ  Ｎｕｍｂｅｒ  ＡＣＣ−２４−Ｄ  ａｎｄ  Ｅｘｐｒｅｓｓ  Ｍａｉｌ  Ｌａｂｅｌ  ＥＭ  ５４５８６１０４３  ＵＳ
【発明の概要】
【発明が解決しようとする課題】
【０００４】
これまで、マイクロホンを交換する従来の任意の方法は時間がかかり、かつ／またはマイクロホン交換中に望ましくないノイズという結果がもたらされた。さらに、多くの従来のマイクロホンホルダは十分な無振動接続を実現しない。結果として、演奏中に、音質の損失および振動の伝達および望ましくない音響フィードバックまたは望ましくない暗騒音につながる、マイクロホンの振動が起こる可能性がある。したがって、この技術分野には変形および改良の余地が残っている。
【図面の簡単な説明】
【０００５】
当業者に向けられた、その最良の形態を含む、本発明の完全なかつ実現可能な開示が、本明細書の残部により詳細に記載されており、それは添付図面を参照する。
【図１】本発明の実施形態によるクイックリリースコネクタを貫く横断面図である。
【図２】２つの主要構成要素部分に部分的に分離されたクイックリリースコネクタを示す、図１に類似した横断面図である。
【図３】受容部材斜軸（diagonal shaft）の穴部に対する玉軸受の係合の関係を示す、クイックリリース受容部材を貫く径方向断面図である。
【図４】六角形シャフトに隣接した回転整合部材を有するリリーサブル部材の斜視図であり、リリース部材は張力調整可能な玉継ぎ手をさらに支持する図である。
【図５】リリーサブル部材と相互係合する受容部材の表面の斜視図である。
【図６】単独で調整可能な脚部を有する譜面台の斜視図である。
【図７】図６に示されているものと類似したクローズアップ斜視図である。
【図８】譜面台の底面斜視図である。
【図９】譜面台基部の底面図であり、基部のハウジングの内部に固定されているラチェットおよび脚部を有する図である。
【図１０】脚部により担持されている内部構成要素の部分拡大図を示す、脚部の底面図である。
【図１１】図１０に示されている構成要素の分解図である。
【図１２】部分的に分解された構成要素部分を示す、脚部ハウジングの斜視図である。
【図１３】譜面台の内部に画定されている基部ハウジングの斜視図である。
【図１４】相対位置にかつ部分分解図に示されている、歯止め、ラチェット、ロッド、および脚部の底面斜視図である。
【図１５】ラチェットおよび歯止め組立体の側面図であり、歯止めは脚部の内部に部分的に固定されている図である。
【図１６】リリースタブの底面図である。
【発明を実施するための形態】
【０００６】
本明細書および図面における参照文字の反復使用は、本発明の同一のもしくは類似した特徴または要素を示すことが意図されている。
【０００７】
ここで本発明の実施形態を詳細に参照し、その１または複数の例が図面に示されている。各例は本発明の説明として提供されており、本発明を限定することを意味するものではない。例えば、一実施形態の一部として例示されているかまたは記載されている特徴が、別の実施形態と共に用いられて、第３の実施形態をさらに生み出す可能性がある。本発明はこれらのかつ他の修正形態および変形形態を含むことが意図されている。
【０００８】
当然のことながら、本明細書において言及されている範囲は、所定の範囲内に特定される全ての範囲を含む。したがって、本明細書において言及されている全ての範囲は、言及されている範囲に含まれる全ての部分的範囲を含む。例えば、１００〜２００からの範囲が、１１０〜１５０、１７０〜１９０、および１５３〜１６２からの範囲もまた含む。さらに、本明細書に言及されている全ての制限が、言及されている制限内に含まれる全ての他の制限を含む。例えば、最大７の制限が、最大５、最大３、および最大４．５の制限もまた含む。
【０００９】
本発明は、係合された配置状態（図１）および解除された配置状態（図２）に示されている通り、クイックリリースコネクタ１０を提供する。コネクタ１０は、参照により本明細書に援用されている文献（例えば、特許文献１参照）に記載されているものなどの種々のクイックリリースコネクタと材料および構造が類似している。また、本発明は、どちらも参照により本明細書に援用されている、文献（例えば、特許文献２参照）、および文献（例えば、特許文献３参照）に記載されているものを含む種々の自在継ぎ手マイクロホンおよびホルダのためのクイックリリースコネクタ機構を提供するのに有用である。前段で参照されている出願に認められる通り、本明細書に記載されている任意の数のボール頭構造および種々のホルダの基部は、種々のホルダおよびボール頭構造が迅速に設置され、マイクロホン、カメラ、および関連機器用の様々なスタンド、三脚、ブームアーム、および種々のホルダ上で動かされることが可能であるように、リリーサブル部材により担持されるように適合され得る。
【００１０】
先行技術の１つの欠点が、従来のクイックリリースコネクタがマイクロホンおよび音声が増幅される機器に適さないことである。従来のクイックリリース機構は、受容部材の内部に担持されておりかつシャフトの溝部に係合するようになされている玉軸受によりリリーサブルに係合されているシャフトによって画定されている周縁溝部を採用している。本発明に基づき、滑らかな溝なしシャフトに係合する複数の玉軸受を有することにより改良された振動耐性コネクタが提供され得ることが分かっている。これは、コネクタ部品間に２，０００ポンド（９０７．２ｋｇ）超の支持を実現し得る、受容部材１２とリリーサブル部材１４０との間の正確な圧入接続を可能にする。マイクロホンおよび音響機器での使用に加えて、また、クイックリリースアダプタは、三脚からカメラへの振動伝達が最小化される必要がある場合、カメラを三脚および他の構造物に固定するのに有用である。したがって、クイックリリースコネクタは、カメラを三脚に、または取付け板もしくはカメラをカメラ三脚頭部に取り付けるのに使用される他の支持構造物に取り付けるのに使用され得る。
【００１１】
本発明は、コネクタ１０の受容部材１２に対する、関連する玉軸受の最小限の横方向変位のみを必要とする。この装置は、より高い耐性が、リリーサブル部材のシャフトを固定するのに使用される玉軸受の圧縮力間に存在することを可能にする。シャフトに対する玉軸受の加えられる力は、複数の方向から供給される。したがって、複数の玉軸受を使用するそのような装置は、さもなければクイックリリースコネクタに沿って伝達される可能性がある振動を最小化することが分かっている。したがって、振動の低減は、クイックリリースコネクタを介して直接または間接的に支持され得る任意のマイクロホンの音質を向上させる。図３を参照して最も良く分かる通り、玉軸受１３０、１３２および１３４などの複数の玉軸受が、隣接した六角形シャフトの平面に係合することができる。随意に、相互係合された部品の重なっている表面の１または複数が、結合して回転を防止する開口部とピンとの組合せをさらに画定することができる。リリーサブルコネクタ１０の２つの部分間の回転の防止は、さもなければ発生するであろう任意の若干の振動を最小化するのに役立ち、しがたってマイクロホンからのより音響的にきれいな音を実現する。
【００１２】
図１〜図５を参照して分かる通り、受容部材１２の第１の終端部２４から受容部材の第２の終端部２６まで長手方向２２に延在している貫通穴である穴部１４を有する受容部材１２を有するクイックリリースコネクタ１０が提供されており、溝穴部３０が長手方向に延在しており、受容部材の外面１８から受容部材の穴部１４まで受容部材１２の部分を貫通して画定されており、受容部材は外面１８上に段部２８を有する。
【００１３】
係合部材５０は、係合部材５０と受容部材１２とが互いに対して移動しないように受容部材１２に取り付けられており、係合部材５０は、傾斜部５６を有する内面５２を有する。スライド部材９０が、受容部材１２および係合部材５０に対して長手方向に移動する。スライド部材９０は、スライド部材９０の第１の終端部９４からスライド部材９０の第２の終端部９６まで長手方向に延在している貫通穴である穴部９２を有する。開口部１０２が、スライド部材の外面９８からスライド部材の穴部までスライド部材９０の部分を貫通して画定されており、スライド部材は、スライド部材の内面１００上に段部１０８をさらに有する。
【００１４】
玉１３０が係合部材５０の傾斜部５６に係合するように、玉１３０が溝穴部３０および開口部１０２の両方に配置されている。ばね１３６が、受容部材１２の段部２８およびスライド部材９０の段部１０８に係合している。図に示されている通り、シャフト１４２が受容部材１２に取り付けられている場合、リリーサブル部材１４０が、受容部材１２の穴部１４の内部に少なくとも部分的に配置されているシャフト１４２を有する。また、玉１３０がシャフト１４２に係合している場合、シャフト１４２は受容部材１２に取り付けられている。シャフト１４２は、受容部材１２の穴部１４がシャフトを収容することができかつ玉軸受１３０およびシャフト１４２が方法でそのようにする限り、円形を含む任意の数の形状とすることができる。
【００１５】
長手方向２２に受容部材１２の第２の終端部２６から受容部材１２の第１の終端部２４と第２の終端部２６との間の位置までの受容部材１２の穴部１４は、六角形横断面形状を有していてもよく、リリーサブル部材１４０のシャフト１４２は、６つの平面１４４がシャフト１４２の外面１４６を作り上げるように、六角形横断面形状を有する。シャフト１４２の６つの平面１４４は全て平坦であり、その平面上に陥凹部がない。
【００１６】
ピン１７０が、受容部材１２の内部に随意に配置されており、ピン１７０の終端部１７２に配置されている揺動突出部１７４を有していてもよい。受容部材１２の長手方向軸２０は揺動突出部１７４を通って延在しており、リリーサブル部材１４０のシャフト１４２は終端部１５６を有し、揺動突出部開口部１５８を画定しており、シャフトが受容部材に取り付けられている場合、揺動突出部１７４は揺動突出部開口部１５８内に配置されている。突出部１７４と開口部１５８との係合は、２つの構成要素部分の嵌まり合いにより、不必要な振動を無くすのに役立ち得る。
【００１７】
リリーサブル部材１４０は、複数の回転整合部材１５２および１５４を画定しているフランジ１４８を有し、複数の回転整合部材１５２および１５４は各々、シャフト１４２が受容部材１２に取り付けられている場合、複数の回転整合開口部７２および７４の１つに係合し、リリーサブル部材１４０は、マイクロホンスタンド、ブームアーム、マイクロホン、カメラ、三脚、または類似の構成要素の第１の構成要素に係合する外側ねじ切り部１５０を有する。
【００１８】
クイックリリースコネクタ受容部材は、各々が長手方向に延在しておりかつ受容部材の外面から受容部材の穴部まで受容部材の部分を貫通して画定されている第２の溝穴部３２と第３の溝穴部３４とを有し、第１の溝穴部３０、第２の溝穴部３２、および第３の溝穴部３４は、長手方向軸を中心に異なる角度で配置されている。受容部材は、マイクロホン、スタンド、ブームアーム、カメラ、三脚、または類似の構成要素などの第２の構成要素に係合する内側ねじ切り部３６を有する。
【００１９】
スライド部材９０は、スライド部材の外面からスライド部材の穴部まで各々がスライド部材９０の部分を貫通して画定されている第２の開口部１０４と第３の開口部１０６とを有していてもよく、第１の開口部１０２、第２の開口部１０４、および第３の開口部１０６は、長手方向軸を中心に異なる角度で配置されている。
【００２０】
さらに、第２の玉１３２が、第２の溝穴部３２および第２の開口部１０４の両方に配置されており、第２の玉１３２は、係合部材５０の傾斜部５６に係合している。第３の玉１３４が、第３の溝穴部３４および第３の開口部１０６の両方に配置されており、第３の玉１３４は、シャフト１４２が受容部材１２に取り付けられている場合に第２の玉１３２および第３の玉１３４がシャフトに係合するように、係合部材５０の傾斜部５６に係合している。
【００２１】
先細にされている、スライド部材の部分は、係合部材の内面の傾斜部に直面している。さらに、スライド部材はスライド部材の外面上に把持要素１１２を有する。
【００２２】
クイックリリースコネクタの一変形形態が、長手方向軸２０を有する受容部材１２を含んでいてもよく、受容部材１２は長手方向に延在している穴部１４を有し、受容部材は、長手方向に延在しておりかつ受容部材の外面から受容部材１２の穴部１４まで受容部材１２の部分を貫通して画定されている溝穴部３０を有する。
【００２３】
スライド部材９０は、取り付けられた位置と取り外された位置との間で長手方向に受容部材１２に対して移動してもよい。玉１３０は、スライド部材９０が取り付けられた位置にある場合、受容部材の穴部１４内にかつ受容部材１２の溝穴部３０内に配置された玉の少なくとも部分を有する。スライド部材９０が取り外された位置にある場合、玉１３０のいずれの部分も受容部材１２の穴部１４内に配置されていない。リリーサブル部材１４０は、受容部材１２の穴部１４内に少なくとも部分的に配置されており、スライド部材９０が取り付けられた位置にある場合、玉１３０により係合されており、スライド部材９０が取り外された位置にある場合、リリーサブル部材１４０は、受容部材１２の穴部１４から除去可能である。
【００２４】
スライド部材９０は長手方向に延在している穴部９２を有し、スライド部材９０は、スライド部材の外面９８からスライド部材９０の穴部９２までスライド部材の部分を貫通して画定されている開口部１０２を有し、玉１３０の部分は、スライド部材が取り付けられた位置にある場合、開口部１０２内に配置されている。コネクタは、受容部材１２に対して移動しない係合部材５０を含み、係合部材５０は、傾斜部５６を有する内面５２を有し、玉１３０は、スライド部材が取り付けられた位置にある場合、係合部材５０の内面５２の傾斜部５６に係合しており、玉１３０は、スライド部材が取り外された位置にある場合、係合部材５０の内面５２の傾斜部５６に係合していない。
【００２５】
スライド部材は先細にされた部分１１０である部分を有し、係合部材５０の内面５２の傾斜部５６に直面している。スライド部材は、スライド部材の外面上に把持要素１１２をさらに画定している。スライド部材はスライド部材の内面上に段部１０８を有し、受容部材は受容部材の外面上に段部２８を有する。ばね１３６が受容部材の段部２８に係合しており、またそれがスライド部材の段部１０８に係合しており、したがって、ばねが付勢された場合にばねの付勢力がスライド部材を取り付けられた位置に促す。
【００２６】
リリーサブル部材は、２つの回転整合部材を画定しているフランジを有し、２つの回転整合部材は各々、リリーサブル部材が受容部材の穴部内に少なくとも部分的に配置されている場合、２つの回転整合部材開口部の１つに係合しており、スライド部材が取り付けられた位置にある場合、玉により係合されている。リリーサブル部材は、マイクロホンなどの第１の構成要素に係合する外側ねじ切り部１５０を有し、受容部材は、マイクロホンスタンド、三脚、ブームアーム等の第２の構成要素に係合する内側ねじ切り部３６を有する。
【００２７】
クイックリリースコネクタは、２つの回転整合部材１５２、１５４を画定しているフランジを有するリリーサブル部材１４０を有していてもよく、２つの回転整合部材は各々、リリーサブル部材１４０の部分が係合部材５０の穴部５４内にある場合、２つの回転整合開口部７２、７４の１つに係合している。スライド部材９０が取り付けられた位置にある場合、係合部材に対するリリーサブル部材の位置は固定されている。回転整合部材および回転整合開口部の配置が好適な実施形態に記載されているが、当然のことながら、代替的配置が、整合開口部を画定しているフランジを有することを含むことができ、かつ対応する整合部材は係合部材５０の対応する表面から突出している。
【００２８】
図５を参照して最も良く分かる通り、受容部材１２の終端部２６は、前に記載されている開口部７２および７４に類似した複数の開口部を画定することができる。複数の受容開口部を設けることにより、受容部材およびリリーサブル部材は、フランジ１４８により担持されている各整合部材１５２および１５４との間の即時の係合を実現することができる。換言すれば、多面シャフト１４２のいかなる配向も、複数の受容開口部７２に対する、回転整合部材１５２および１５４の対の正確な整合をもたらす。
【００２９】
関連する整合開口部と共に回転整合部材を設けることは、全ての用途に必要とは考えられない。しかし、重いブームアームの使用などの、多重量または捻じれ回転を受ける構造物は、ピンと開口部との間の付加的係止機構は、クイックリリースコネクタを介したさらに程度の高い振動および振動減衰または振動伝達をもたらすと考えられる。
【００３０】
本発明の別の態様が、マイクロホン、譜面台付属品、およびカメラを保持するスタンドとして特に有用なスタンドに関する。したがって、譜面台は、本明細書に記載されているクイックリリースコネクタ１０と共に使用することが有益である。図６を参照して最も良く分かる通り、譜面台３００が、３本の脚部３１０を有する三脚構造の形であってもよい。脚部３１０の各々は、第１の端部３１２と第２の端部３１４とを画定している。図８〜図１１を参照して分かる通り、溝穴部３１６が脚部３１０の上面を貫通して画定されており、溝穴部３１６は、脚部３１０の中空部分の上面と下面との間に連通をもたらしている。図１１の分解図を参照して分かる通り、脚部３１０の第１の端部３１２はハウジング３１８を画定している。ハウジング３１８の内部は、ロッド３２０により担持されている歯止め３２２を受容するのに適合されている。ロッド３２０は中空脚部の内部内に収容されており、開口部３２４および３２４’の対をさらに画定している。図９を参照して分かる通り、開口部３２４および３２４’は、リリースタブ３５０の底面を脚部３１０の上面に固定するように示されている締結具と共に使用され得る。
【００３１】
図１０および図１１を参照して最も良く分かる通り、ロッド３２０が脚部３１０の中空内部内に挿入可能である。ばね３３０が、内部脚部３１０内に配置された場合、終端部３２６に沿って配置され、ロッド３２０のための緊張および付勢力を提供する。ロッド３２０の終端部が単一の歯爪の形であってもよく、ラチェット３６０により画定されている対応する歯３６２との相互係合に適合されている歯止め３２２を画定している。図９および図１４を参照して最も良く分かる通り、ラチェット３６０の部分が、脚部３１０のハウジング３１８に係合するのに適合されている。ラチェット３６０およびラチェット歯３６２との歯止め３２２の相互係合は、譜面台の垂直軸に対する脚部３１０の枢動移動を可能にする。
【００３２】
脚部ハウジング３１８が、２つの平行縁壁３３２および３３４、湾曲した後壁３３６、および底壁３３８により画定されている。底壁３３８は、脚部３１０の内部と連通しているようにロッド３２０をその中に受容する穴部を画定している。ラチェット３６０の後壁３６８が、基部３４０の対応する壁に係合するための平面をもたらし、後壁３６８は、スタンドの垂直軸に対して実質的に垂直なまたは実質的に平行な配向を通過するハウジング３１８の移動を制限する機械的抑制装置をもたらす２つの対向する縁壁をさらに画定している。
【００３３】
図９を参照して最も良く分かる通り、ラチェット３６０が、基部レセプタクル（base receptacle）３４４の内部に係合するためにさらに適合されている。基部レセプタクル３４４は、隣接した平行縁壁、後壁、および上壁により画定されている。基部３４０が、脚部ハウジング３１８と共に歯止め３２２の部分の両方を受容するのに適合されている。基部３４０は、踏みつけられる可能性がありかつ位置合わせされた開口部３１９および３１９’により脚部ハウジング３１８を基部３４０に固定するのに使用される、対向する開口部３４２および３４２’の対をさらに画定している。図１６に最も良く示されている通り、ラチェット３６０は、ハウジング３１８および基部３４０内での固定のために、一方の側面から反対側側面まで対応する穴部３６４を画定している。
【００３４】
図１５を参照して最も良く分かる通り、リリースタブ３５０は、上部のテクスチャ加工された表面３５２と、脚部３１０の湾曲した拡張表面に沿った滑動運動に適合された下部弓状表面３４６とを有する。溝穴部３１６の寸法の内部に嵌合するように構成されておりかつロッド開口部３２４および３２４’を通して挿入される締結具によりリリースタブ３５０を固定するのに使用される開口部３５８の対をその中に画定している取付け板３５６が、下面３５４から延在している。
【００３５】
ラチェット３６０と歯止め３２２との間の相互作用は、脚部３１０が下方に自由に枢動させられることを可能にする。リリースタブ３５０を脚部端部３１４の方に滑動させることにより、リリースタブ３５０はロッド３２０を同様の方向に移動させ、ばね３３０を圧縮する。ロッド３２０の移動は、ラチェット３６０により画定されているラチェット歯３６２から歯止め３２２をリリースする。このことは、脚部３１０の移動を、今や自由である脚部３１０が、脚部ハウジング３１８、ラチェット３６０を貫通して延在しておりかつ基部３４０により画定されている位置合わせされた開口部３４２および３４２’により固定されているコネクタに沿って、自由に枢動することを可能にする。リリースタブ３５０が解除された場合、ばね３３０が、ロッド３２０および歯止め３２２をラチェット３６０およびラチェット歯３６２内部の係合位置に移動させる緊張力を提供する。その係合は、上方への脚部のさらなる移動を防止する。
【００３６】
譜面台のための脚部構成の利点は、マイクロホンをユーザの前方、後方、または左へもしくは右へ持ってくることにより、ユーザに対するマイクロホンの位置をユーザが調整することができることである。一本の脚部のみに係合しかつ移動させることにより、スタンドの端部に担持されているマイクロホンまたは他の機器の相対位置は変更され得る。譜面台および任意の付随するマイクロホンの位置を微調整するそのような能力が、マイクロホンに対する手動調整よりずっと迅速でかつ遥かに面倒でない。譜面台および付随するマイクロホンの位置を微調整するそのような能力は、譜面台に関連する垂直伸縮自在支柱を上げ下げすることまたはマイクロホンホルダの内部でマイクロホンを再配置することよりずっと迅速でかつ遥かに面倒でない。リリースタブ３５０の簡易クイックリリースおよび単一の脚部に対する調整により、ユーザは、マイクロホンおよび他の付属品を所望の位置により良く配置するために、譜面台の垂直軸の位置を変更することができる。
【００３７】
本発明が、ある好適な実施形態に関連して記載されたが、当然のことながら、本発明により包含されている主題は、それらの特定の実施形態に限定されない。それどころか、本発明の主題は、以下の特許請求の範囲の精神および範囲の範囲内に含まれ得る全ての代替案、修正形態、および同等物を含むことが意図されている。
【図１】
0006480515.tif 000002
【図２】
0006480515.tif 000003
【図３】
0006480515.tif 000004
【図４】
0006480515.tif 000005
【図５】
0006480515.tif 000006
【図６】
0006480515.tif 000007
【図７】
0006480515.tif 000008
【図８】
0006480515.tif 000009
【図９】
0006480515.tif 000010
【図１０】
0006480515.tif 000011
【図１１】
0006480515.tif 000012
【図１２】
0006480515.tif 000013
【図１３】
0006480515.tif 000014
【図１４】
0006480515.tif 000015
【図１５】
0006480515.tif 000016
【図１６】
0006480515.tif 000017